(57)【要約】  切断平面を画定する切断スロットを有する切断ブロックに取り付けられる手術器具について記載する。手術器具は、二目的用インジケーター部材（２）を含む。インジケーター部材は、（ｉ）第１の平面の可視化を可能にし、（ｉｉ）第１の平面に垂直な第２の平面からの所定の距離を示すように構成される。手術器具は、第１の平面または第２の平面のいずれかが切断平面に平行となるように、互いに垂直な２つの向きのいずれかで手術器具を切断スロットに取り付けるための取り付け部材（１４、１６、１８、２０）も含む。したがって、手術器具は、切断スロット内の取り付け部材の向きに応じて、切断部の平面を可視化するように、かつ切断部の平面からの距離を示すように、使用されることができる。これにより、手術器具が先行技術の２つの器具に取って代わることができるので、在庫を減らすことができる。手術器具は、１つまたは複数の切断ブロックをと共にシステムの一部を形成することができる。
2013521967.tif 000002
【特許請求の範囲】
【請求項１】
切断平面を画定する切断スロットを有する切断ブロックに取り付けられる手術器具において、
（ｉ）第１の平面の可視化を可能にし、（ｉｉ）前記第１の平面に垂直な第２の平面からの所定の距離を示すように構成された、二目的用インジケーター部材と、
前記第１の平面または前記第２の平面が前記切断平面に平行になるように、互いに垂直な２つの向きのいずれかで前記手術器具を前記切断スロットに取り付けるための取り付け部材と、
を含む、手術器具。
【請求項２】
請求項１に記載の手術器具において、
前記二目的用インジケーター部材は、
前記第１の平面を画定する平坦な表面と、
前記第１の平面に垂直である前記第２の平面から所定の距離に位置付けられた先端部と、
を含む、手術器具。
【請求項３】
請求項１または２に記載の手術器具において、
前記取り付け部材は、
前記切断スロットに挿入されるよう前記第１の平面に延びる第１のタブと、
切断スロットに挿入されるよう前記第２の平面に延びる第２のタブと、
を含む、手術器具。
【請求項４】
請求項３に記載の手術器具において、
前記第１および第２のタブは、隣接しており、互いに離間している、手術器具。
【請求項５】
請求項１〜４のいずれか１項に記載の手術器具において、
（ｉ）前記第１の平面の可視化を可能にし、（ｉｉ）前記第２の平面からの第２の所定の距離を示すように構成された、第２の二目的用インジケーター部材、
をさらに含む、手術器具。
【請求項６】
請求項５に記載の手術器具において、
前記取り付け部材は、
前記切断スロットに挿入されるよう前記第１の平面に延びる第３のタブであって、前記第１のタブと反対の方向に延びる、第３のタブと、
前記切断スロットに挿入されるよう前記第２の平面に延びる第４のタブであって、前記第２のタブと反対の方向に延びる、第４のタブと、
をさらに含む、手術器具。
【請求項７】
請求項５または６に記載の手術器具において、
前記所定の距離は、約９ｍｍであり、前記第２の所定の距離は、約２ｍｍである、手術器具。
【請求項８】
請求項１〜７のいずれか１項に記載の手術器具において、
前記取り付け部材は、前記切断スロットに係合する少なくとも１つの固定部材を含む、手術器具。
【請求項９】
請求項８に記載の手術器具において、
前記少なくとも１つの固定部材は、弾性突起を含む、手術器具。
【請求項１０】
請求項１〜９のいずれか１項に記載の手術器具において、
前記二目的用インジケーター部材および前記取り付け部材は、一体的に形成される、手術器具。
【請求項１１】
手術器具システムにおいて、
請求項１〜１０のいずれか１項に記載の手術器具と、
切断平面を画定する切断スロットを有する切断ブロックと、
を含む、手術器具システム。
【請求項１２】
請求項１１に記載の手術器具システムにおいて、
前記切断ブロックは、脛骨切断ブロックである、手術器具システム。
【請求項１３】
請求項１１に記載の手術器具システムにおいて、
前記切断ブロックは、大腿骨切断ブロックである、手術器具システム。
【請求項１４】
請求項１２に記載の手術器具システムにおいて、
切断平面を画定する切断スロットを有する大腿骨切断ブロック、
をさらに含む、手術器具システム。
【請求項１５】
請求項１１〜１４のいずれか１項に記載の手術器具システムにおいて、
前記切断ブロックは、固定穴をさらに含む、手術器具システム。
【発明の詳細な説明】
【開示の内容】
【０００１】
本発明は、手術器具に関し、特に、切断ブロックに取り付けるためのものである二つの目的を有する手術器具に関する。
【０００２】
膝の手術中、切断ブロックを使用して、切断部の位置を定める。これらの切断ブロックは、切断および切除用の器具を受容するスロットを含む。切除の高さを示すため、または切断部の平面を可視化するために、切断ブロックの切断スロットに取り付けられる器具を提供することが知られている。
【０００３】
膝の手術では、切断部の平面は、「天使の翼（angel wing）」、「可視化用の翼（visualisation wing）」または「切除ガイド」と呼ばれることもある器具を使用して可視化されることができ、これは切断スロットに挿入される。この天使の翼は、概ね平坦であり、また、切断部の平面が外科医によって可視化されることを可能にする。
【０００４】
膝の手術処置の別の段階において、外科医は、脛骨切断ブロックを使用して、近位脛骨切除部の上方／下方高さを設定しなければならない。この場合、脛骨スタイラスを、脛骨切断ブロックの切断スロットに挿入する。脛骨スタイラスは、外科医が所望の高さを設定できるよう切断スロットからの様々な異なる高さに調節され得るポインタを含むか、または特定の高さに固定ポインタを有することができる。
【０００５】
膝の手術に必要な器具の在庫および数を減らすことが望ましい。
【０００６】
本発明は、切断部の平面の可視化をもたらすこと、および切断部の高さを設定することの双方に使用され得る、手術器具を提供する。
【０００７】
したがって、本発明の第１の態様では、切断平面を画定する切断スロットを有する切断ブロックに取り付けられる手術器具が提供され、この手術器具は、（ｉ）第１の平面の可視化を可能にし、（ｉｉ）第１の平面に垂直な第２の平面からの所定の距離を示すように構成された、二目的用インジケーター部材と、第１の平面または第２の平面が切断平面に平行になるように互いに垂直な２つの向きのいずれかで手術器具を切断スロットに取り付ける取り付け部材と、を含む。
【０００８】
本発明は、先行技術の「天使の翼」およびスタイラス器具が、処置の異なる段階で異なる切断ブロックに挿入されるが、２つのタイプの器具の表示平面間の関係が垂直であるという発見に基づいている。これにより、二目的用の器具を提供することができ、この器具により、第１の平面の可視化を可能にし、また、第１の平面に垂直な第２の平面からの距離を示すことができる。したがって、２つの器具の代わりにただ１つの器具が必要であり、手術処置用の器具類のコストが減少する。
【０００９】
本発明の手術器具は、切断ブロックが切断スロットを有するという条件で、異なるタイプの切断ブロックに挿入されてよいことに注意すべきである。例えば、平面を可視化する際、第１の平面に垂直な第２の平面からの所定の距離を示すのに使用される場合とは異なるタイプの切断ブロックに器具を挿入することができる。
【００１０】
好ましくは、二目的用インジケーター部材は、第１の平面を画定する平坦な表面と、第１の平面に垂直な第２の平面から所定の距離に位置付けられた先端部と、を含む。この形態のインジケーター部材により、インジケーター部材は、形成しやすい形状で、二重の機能を実行することができる。いくつかの実施形態では、二目的用インジケーター部材は、単にシートから形成されてよく、このシートは、第１の平面を可視化するための平坦な表面をもたらす。
【００１１】
好ましくは、取り付け部材は、切断スロットに挿入されるよう第１の平面に延びる第１のタブと、切断スロットに挿入されるよう第２の平面に延びる第２のタブと、を含む。これらのタブは、器具の使用を可能にするため、単に切断スロットに挿入されることができる。２つのタブはそれぞれ、器具が作動する平面のうちの１つに延び、それにより、器具を所望の向きで容易に取り付けることができる。好ましくは、第２のタブは、第１のタブと同じ方向に延び、この方向は、典型的には、第１の平面および第２の平面に近接する（adjoining）線により定められる方向である。
【００１２】
一実施形態では、第１および第２のタブは、隣接しており、互いに離間している。これにより、一方のタブが切断スロットに挿入される際に、他方のタブが、切断スロットへのタブの挿入の邪魔をしないように使用中のタブから十分に離間することが確実となる。この実施形態は、２つのタブが、第１および第２の平面をつなぐ線により定められる同じ方向に延びている場合に、容易に形成され得る。その場合、隣接している離間したタブは、２つの平面をつなぐ線に直接隣接した材料を取り除くことにより製造されることができ、それによって、互いに離間し、隣接しているタブが作られる。
【００１３】
手術器具は、（ｉ）第１の平面の可視化を可能にし、（ｉｉ）第２の平面からの第２の所定の距離を示すように構成された、第２の二目的用インジケーター部材をさらに含んでよい。これは、いくつかの利点をもたらす。第２の二目的用インジケーター部材により、切断スロットに対する、より多くの器具位置から、第１の平面を可視化することができる。第２の二目的用インジケーター部材は、第１の二目的用インジケーター部材とは異なる、第２の平面からの距離を示すのにも使用され得る。
【００１４】
この実施形態では、取り付け部材は、好ましくは、切断スロットに挿入されるよう第１の平面に延びる第３のタブと、切断スロットに挿入されるよう第２の平面に延びる第４のタブと、をさらに含み、第３のタブは、第１のタブと反対の方向に延びており、第４のタブは、第２のタブと反対の方向に延びている。反対の方向とは、第１および第２の平面をつなぐ線に沿った反対の方向であってよい。好適な実施形態では、第１および第３のタブは、互いに鏡のように対称（mirror symmetric）であり、第２および第４のタブは、互いに鏡のように対称である。
【００１５】
好適な実施形態では、第１の所定の距離は、約９ｍｍであり、第２の所定の距離は、約２ｍｍである。先行技術では、脛骨スタイラスは、異なる距離を表示するように調節可能である。しかしながら、２ｍｍおよび９ｍｍの距離の表示は、手術処置の大部分にとって十分であることが分かっている。これにより、異なる距離に調節する必要がなくなるので、器具の構築が単純化される。他の実施形態では、通常はインプラントデザインの構造厚さに基づく異なる距離を示す、異なるバージョンの器具が提供され得ることが、認識されるであろう。
【００１６】
いくつかの実施形態では、取り付け部材は、切断スロットに係合する、少なくとも１つの固定部材を含み得る。これは、手術器具が切断スロット内部に保持され、動いたり抜け落ちたりする可能性が低いことを確実にするのに役立ち得る。切断スロットへの確実な取り付けは、器具が第２の平面における距離を示すのに使用されている際に、特に有利である。したがって、固定部材は、第２のタブおよび／または、第４のタブがある場合には第４のタブ、上に設けられるのが好ましい。固定手段は、弾性突起（resilient tang）により形成され得る。これは、容易に製造でき、切断スロットの表面に対して作用することにより器具を固定するための十分な力を提供することができる。
【００１７】
本発明の手術器具は、いくつかの技術により製造され得る。これらの技術は、射出成形、または金属など弾性材料の１枚のシートからの成形を含む。代替的な製造方法には、スタンピング（stamping）またはフォトエッチングが含まれる。したがって、手術器具は、単一の一体化部品に形成され得る。他の実施形態では、手術器具は、例えば接合、溶接、もしくは任意の他の適切な取り付け手段によって、互いに取り付けられた様々な異なる部品を含み得る。
【００１８】
本発明の別の態様では、前記に定義した手術器具は、やはり前述したオプションの特徴部があってもなくても、手術器具システムの一部を形成する。手術器具システムはまた、手術器具と共に使用される切断スロットを有する切断ブロックを含む。使用中、手術器具の取り付け部材は、切断スロットに挿入される。
【００１９】
一実施形態では、手術器具システムは、膝の手術で使用するためのものであり、脛骨切断ブロックおよび／または大腿骨切断ブロックを含む。システムが脛骨切断ブロックおよび大腿骨切断ブロックの双方を含む場合、取り付け部材は、大腿骨切断ブロックに取り付けるのとは異なる向きで、脛骨切断ブロックに手術器具を取り付けるのに使用され得る。これにより、同じ手術器具を、異なる機能のために、異なる切断ブロックと共に使用することができる。切断ブロックは、固定穴も含むことができる。使用中、固定穴により、切断ブロックを患者の骨、例えば脛骨または大腿骨、に固定することができる。
【００２０】
本発明の実施形態は、添付図面を参照して、一例として説明される。
【００２１】
図１は、本発明の実施形態による手術器具の斜視図を示す。この手術器具は、第１の二目的用インジケーター部材２と、第１の二目的用インジケーター部材２とは反対の方向に延びる第２の二目的用インジケーター部材４と、２つの二目的用インジケーター部材２、４をつなぐ取り付け部材と、を含む。二目的用インジケーター部材２、４はそれぞれ、切断部の平面を可視化するための平坦な表面６、８を含む。二目的用インジケーター部材２、４はそれぞれ、平坦な表面６、８の平面に垂直な第２の平面上の所定の距離を示す先端部１０、１２も含む。
【００２２】
取り付け部材は、４つのタブ１４、１６、１８、２０を含む。タブ１４およびタブ１８は、平坦な表面６および８の平面に平行な平面に延びる。タブ１６および２０は、平坦な表面６および８により示される平面に垂直な平面に延び、二目的用インジケーター部材２、４の先端部１０、１２は、タブ１６およびタブ２０の平面からの所定の距離を示す。
【００２３】
タブ１６および２０は双方、弾性突起（resilient tang）２２、２４を含む。これは、タブ１６、２０の平面からわずかに曲げられている。タブ１６または２０が切断スロットに挿入されると、弾性突起２２、２４は、弾性的に変形して、切断スロットの表面にもたれかかり、手術器具を、よりしっかりと所定の場所に保持する。
【００２４】
図２は、タブ１６が脛骨切断ブロック２６の切断スロットに挿入された、図１の手術器具の側面図を示す。図２ではっきりと見ることができるように、第２の二目的用インジケーター部材２の先端部１０は、第２の二目的用インジケーター部材４の先端部１２よりも、タブ１６、２０により画定される第２の平面から離れている。この実施形態では、先端部１０は、平面から約９ｍｍである（図２中、距離２８で示される）。第２の二目的用インジケーター部材４の先端部１２は、タブ１６、２０により画定される平面から約２ｍｍである（図２中、距離３０で示される）。したがって、タブ１６またはタブ２０が切断ブロック２６のスロットに挿入されているかどうかによって、手術器具は、切断スロットの平面からの９ｍｍまたは２ｍｍの距離を示すスタイラスとして使用され得る。
【００２５】
使用中、タブ１６またはタブ２０は、切断スロットの表面に対して作用する弾性突起２２、２４の作用によって、切断スロット内にしっかりと保持される。タブ１６および２０はそれぞれ、脛骨切断スロット２６における切断スロットの幅よりも、幅が狭い。これにより、先端部１０、１２が、並進および回転の双方により切断ブロックに対して動くことができ、切断ブロックに対する様々な地点における距離を示すことができる。
【００２６】
図３は、大腿骨切断ブロック３２の切断スロットに据え付けられた手術器具の側面図を描いたものである。大腿骨切断ブロックも、大腿骨に取り付けるための固定穴を画定している。固定穴への入口３４は、図３では、小さな凹部として見ることができる。大腿骨切断ブロック３２は、膝の手術で従来使用される標準的な大腿骨切断ブロックであり、４つの切断スロットを備え、２つは面取り部、１つは後方、１つは前方にある。これらのスロットは合わせて、膝の手術で大腿骨構成要素を受容するような形状を切り出すことを可能にする。このような使用において、手術器具は、大腿骨切断ブロック３２の前方スロットに挿入される。これにより、大腿骨切断ブロック３２を使用して作られるべき前方切断部の平面を可視化することができる。この切断部の平面は、二目的用インジケーター部材の平坦な表面６、８によって示される。このような使用において、タブ１４またはタブ１８のいずれかを、切断スロットに挿入する。次に、平坦な表面６または８が、切断ブロック３２のスロットにより画定された平面と平行になる。タブ１４またはタブ１８が切断ブロックの切断スロットに挿入されたかどうかによって、器具は、内側および外側の双方で切断部の平面を可視化するのに使用されることができる。
【００２７】
図２および図３から分かるように、タブ１４、１６、１８もしくは２０のうちの１つが切断ブロックの切断スロットに挿入される際、隣接した垂直なタブ（tags）の存在が、切断スロットへの挿入の邪魔をする場合がある。このような理由から、タブ１４および１６とタブ１８および２０との間の空間は、タブの平面が接する場所で画定される線に沿って切り取られる。これにより、タブ１６または２０が（図２に示すように）切断スロットに挿入されるとき、タブ１４および１８が、（図２ではっきりと描かれているように）切断ブロックと接触しないように十分間隔をあけることが確実となる。同様に、タブ１４、１８が切断ブロックの切断スロットに挿入される際、タブ１６および２０は、切断ブロックの邪魔をしないように十分に間隔をあける。
【００２８】
この実施形態の手術器具は金属から形成されるのが好ましく、そうすれば、手術器具は、タブ１４、１６、１８、２０の比較的薄い外形（約１〜２ｍｍの厚さ）を保つと共に、十分な強度および剛性を備えて形成されることができる。ステンレス鋼などの任意の医療グレードの金属または金属合金を使用することができる。代替的な実施形態では、ポリマーを使用することができる。
【００２９】
代替的な実施形態では、タブ１６および２０により画定される平面上の先端部１０および１２の距離は、２ｍｍおよび９ｍｍ以外であってよい。例えば、器具は、異なる対の測定値を示す、いくつかの器具が設けられた状態で、キットの一部を形成してよい。一実施形態では、これらの対は、１ｍｍおよび１０ｍｍ、２ｍｍおよび９ｍｍ、３ｍｍおよび８ｍｍ、４ｍｍおよび７ｍｍ、ならびに５ｍｍおよび６ｍｍである。単一の器具のみが供給される場合は、多くの手術処置に適用されるので、２ｍｍおよび９ｍｍの組み合わせが好ましい。
【００３０】
代替的な実施形態では、二目的用インジケーター部材は、平面の可視化を可能にする平坦な表面と、その平坦な表面に垂直な平面からの距離表示を可能にする先端部と、を含む場合には、図１に描いたもの以外の形態を有してもよい。
【００３１】
〔実施の態様〕
（１）  切断平面を画定する切断スロットを有する切断ブロックに取り付けられる手術器具において、
（ｉ）第１の平面の可視化を可能にし、（ｉｉ）前記第１の平面に垂直な第２の平面からの所定の距離を示すように構成された、二目的用インジケーター部材と、
前記第１の平面または前記第２の平面が前記切断平面に平行になるように、互いに垂直な２つの向きのいずれかで前記手術器具を前記切断スロットに取り付けるための取り付け部材と、
を含む、手術器具。
（２）  実施態様１に記載の手術器具において、
前記二目的用インジケーター部材は、
前記第１の平面を画定する平坦な表面と、
前記第１の平面に垂直である前記第２の平面から所定の距離に位置付けられた先端部と、
を含む、手術器具。
（３）  実施態様１または２に記載の手術器具において、
前記取り付け部材は、
前記切断スロットに挿入されるよう前記第１の平面に延びる第１のタブと、
切断スロットに挿入されるよう前記第２の平面に延びる第２のタブと、
を含む、手術器具。
（４）  実施態様３に記載の手術器具において、
前記第１および第２のタブは、隣接しており、互いに離間している、手術器具。
（５）  実施態様１〜４のいずれかに記載の手術器具において、
（ｉ）前記第１の平面の可視化を可能にし、（ｉｉ）前記第２の平面からの第２の所定の距離を示すように構成された、第２の二目的用インジケーター部材、
をさらに含む、手術器具。
【００３２】
（６）  実施態様５に記載の手術器具において、
前記取り付け部材は、
前記切断スロットに挿入されるよう前記第１の平面に延びる第３のタブであって、前記第１のタブと反対の方向に延びる、第３のタブと、
前記切断スロットに挿入されるよう前記第２の平面に延びる第４のタブであって、前記第２のタブと反対の方向に延びる、第４のタブと、
をさらに含む、手術器具。
（７）  実施態様５または６に記載の手術器具において、
前記所定の距離は、約９ｍｍであり、前記第２の所定の距離は、約２ｍｍである、手術器具。
（８）  実施態様１〜７のいずれかに記載の手術器具において、
前記取り付け部材は、前記切断スロットに係合する少なくとも１つの固定部材を含む、手術器具。
（９）  実施態様８に記載の手術器具において、
前記少なくとも１つの固定部材は、弾性突起を含む、手術器具。
（１０）  実施態様１〜９のいずれかに記載の手術器具において、
前記二目的用インジケーター部材および前記取り付け部材は、一体的に形成される、手術器具。
【００３３】
（１１）  手術器具システムにおいて、
実施態様１〜１０のいずれかに記載の手術器具と、
切断平面を画定する切断スロットを有する切断ブロックと、
を含む、手術器具システム。
（１２）  実施態様１１に記載の手術器具システムにおいて、
前記切断ブロックは、脛骨切断ブロックである、手術器具システム。
（１３）  実施態様１１に記載の手術器具システムにおいて、
前記切断ブロックは、大腿骨切断ブロックである、手術器具システム。
（１４）  実施態様１２に記載の手術器具システムにおいて、
切断平面を画定する切断スロットを有する大腿骨切断ブロック、
をさらに含む、手術器具システム。
（１５）  実施態様１１〜１４のいずれかに記載の手術器具システムにおいて、
前記切断ブロックは、固定穴をさらに含む、手術器具システム。
【図面の簡単な説明】
【００３４】
【図１】本発明の第１の実施形態の斜視図を示す。
【図２】脛骨切断ブロックと組み合わせて脛骨スタイラスとして機能する、図１に示した器具の側面図を示す。
【図３】大腿骨切断ブロックと組み合わせて切断部の平面を可視化するのに使用される、図１の器具の側面図を示す。
【図１】
2013521967.tif 000003
【図２】
2013521967.tif 000004
【図３】
2013521967.tif 000005
【国際調査報告】
2013521967.tif 000006
2013521967.tif 000007